(57)【要約】【課題】手帳を結束するのに好適な平らで細長いバンドに関し、手帳が開くのを防止し、手帳に挟んだカードや資料が、その量の大小に関わりなく、飛散したり抜け落ちたりするのを確実に防止でき、使用しなくても邪魔にならないペン差しを備えた結束バンドを提供する。【解決手段】２枚重ねにした所定長さの細長い布帛でできたベルト１を備えている。２枚の布帛は、長さ方向の弾力を備えており、所定間隔でベルト幅方向の線状ないし帯状の接合部で接合されている。隣接する接合部の間には、ペン３を差し込むことができる貫通口が形成される。ベルト１の一端には、ベルト幅方向の係止ピンを備えたフック２が取り付けられ、このフックの係止ピンをベルトの長手方向に多数形成された貫通口の１つに挿入することにより、手帳４を締結するためのループが形成される。【選択図】図３
0003144765.tif 000002
【実用新案登録請求の範囲】
【請求項１】
一端に幅方向の係止ピン(21)を備えたフック(2)が取付けられている所定長さの長手方向に伸縮性を備えた２枚重ねの細幅布帛(11,12)からなり、当該２枚の細幅布帛を幅方向に長い線状ないし帯状に縫合ないし接合した接合部(13)を設けることにより、隣接する接合部間の２枚の細幅布帛の間にペン(3)を挿通可能な幅方向の貫通口(14)が形成され、前記フックの係止ピン(21)を前記貫通口(14)のいずれかに挿通することにより所望長さのループを形成可能にした、結束バンド。
【請求項２】
一端に幅方向の係止ピン(21)を備えたフック(2)が取付けられている所定長さの長手方向に伸縮性を備えた細幅二重織物(1)からなり、重ね合わせた状態で製織される２枚の細幅織物(11,12)の経糸(15,16)相互を当該織物の長さ方向に所定間隔で交錯させて、当該２枚の細幅織物(11,12)が幅方向に長い線状ないし帯状に接合された接合部(13)を形成することにより、隣接する接合部間の２枚の細幅織物(11,12)の間にペン(3)を挿通可能な幅方向の貫通口(14)が形成され、前記フックの係止ピン(21)を前記貫通口(14)のいずれかに挿通することにより所望長さのループを形成可能にした、結束バンド。
【考案の詳細な説明】
【技術分野】
【０００１】
この考案は、ノートや手帳などの冊子類を結束するのに好適な平らで細長いバンドに関するものである。
【背景技術】
【０００２】
複数冊の書籍やノートを持ち運ぶ際に、当該複数冊の書籍やノートを一括して結束するブックバンドと呼ばれる結束具が用いられている。ブックバンドは、通常、複数冊の書籍やノートを一括して結束するのに用いられるもので、重い書籍を結束してぶら下げて持ち運ぶことを想定して、伸縮性のないベルトを用いている。一方、手帳は、複数冊を携行することは稀であり、手帳を結束するのに用いることを想定した結束具は、従来知られていない。
【０００３】
手帳は、表紙の内側にカード類の収納部を設けたものがあり、また案内状や簡単なパンフレットなどを手帳に挟んでおくことも広く行われている。手帳には、不要に開くのを防止するフラップ、留具、留バンドなど（以下、「開き留」という。）を表紙に取付けたものがある。また、手帳に書き込みをするためのペン（筆記具）を手帳と共に携行できるように、ペン差しを備えた手帳も多く用いられている。
【考案の開示】
【考案が解決しようとする課題】
【０００４】
手帳には色々な大きさのものがあり、会議や打合せの多い人は、厚くて大型の手帳が必要である。また、各種のカードや手帳に書き込んだ会議や打合せなどに関連する案内状その他の資料を手帳に挟んでいる人も多く、会議や打合せ等が多い人は、当然そのような資料も多くなり、手帳に多くの資料が挟み込まれた状態となっていることも多い。
【０００５】
カードや資料等が多く挟み込まれた手帳は、誤って床に落したりすると、挟み込まれていた資料等が散乱して、それを再び所定のページに挟み込むのに多大な労力を必要とするし、屋外では、飛散した資料が雨に濡れたり風で飛ばされたりすることがあり、重要な書類を紛失するおそれもある。
【０００６】
開き留が表紙に取付けられている手帳は、たとえ落しても手帳が開かないから、挟み込んだカードや資料が飛散するのをある程度防止できるが、それらの開き留が単に手帳が開くのを防止するためだけのものであると、開き留を留めた状態でもカードや資料などが緩く挟まれているだけの状態となり、これらがページの間から抜け落ちるのを確実に防止することはできない。また、挟んだカードや資料が多くなると、手帳が膨らみ過ぎて開き留が留められなくなり、落したときに手帳が開くのを防止することができなくなる。
【０００７】
従来公知のブックバンドで手帳を結束すれば、手帳が開くのを防止できるが、従来のブックバンドは伸縮性のないベルトを用いているので、装脱するときにいちいちブックバンドの留具を外したりベルトを締めたりしなければならず、装脱が面倒であるし、しっかり締め付けないとカードや資料がページの間から抜落ちるのを防止できない。
【０００８】
また、筆記具は、常に手帳と一組にして携行する人もいるし、手帳と組にしないで携行する人もいる。手帳と組にして携行する人には、ペン差しが付いた手帳が便利であるが、別々に携行する人は、手帳のペン差しは不要である。そして、従来のペン差しは、表紙の裏側等に筒状に形成されているので、これを必要としない人には、書き込みなどの際に邪魔になるだけである。
【０００９】
この考案は、上述のような問題点を解決するためになされたもので、手帳が不要に開くのを防止して、手帳に挟んだカードや資料が、その量の大小に関わりなく、飛散したり抜け落ちたりするのを確実に防止することができ、かつ構造が極めて簡単で、装着しても手帳が嵩張ったり収納や携行の邪魔になることがなく、更に、使用しなくても邪魔になることがないペン差しを備えた結束バンドを提供することを課題としている。
【課題を解決するための手段】
【００１０】
この考案は、１冊の手帳を開かないように、かつその手帳の大きさや厚さに関わりなく、用紙やその間に挟まれたカードや資料をしっかりと押し付けた状態で結束することが可能な、偏平でありながらペン差しとして利用することもできる長さ調整手段を備えた結束バンドを提供することにより、上記課題を解決している。
【００１１】
この考案の結束バンドは、２枚重ねにした所定長さの細長い布帛１１、１２でできたベルト１を備えている。２枚重ねにした布帛１１、１２は、所定間隔で幅方向の線状ないし帯状の接合部１３で接合されている。隣接する接合部１３の間では、２枚の布帛１１、１２が分離可能で、２枚の布帛１１、１２の間には、ペン３を差し込むことができる貫通口１４が形成される。ベルト１の一端には、ベルト幅方向の係止ピン２１を備えたフック２が取り付けられ、このフックの係止ピン２１をベルトの長手方向に多数形成された貫通口１４の１つに挿入することにより、手帳４を締結するためのループが形成され、このループの長さは、係止ピン２１を挿入する貫通口１４の位置によって調整することができる。
【００１２】
２枚の布帛１１、１２は、長さ方向の弾力を備えており、ループを引き伸ばした状態でそのループの中に手帳を挿入することにより、手帳を開かないように結束する。手帳は、布帛１１、１２の弾力によって結束されるから、手帳の用紙相互及びその間に挟まれたカードや資料も、布帛１１、１２の弾力で密着された状態で保持される。
【００１３】
重ね合わせた２枚の布帛１１、１２は、幅方向寸法を異なるものとすることができ、また図４に示すように、同一幅寸法のものを幅方向にずらして２枚重ねとすることもできる。このようにすることにより、貫通口１４の差込口が判りやすくなる。
【００１４】
重ね合わせた２枚の布帛１１、１２を織布としたときは、図２に示すように、２枚の織布１１、１２を同時に織成して、所定間隔ごとに２枚の織布の経糸１５、１６を交絡させることにより、接合部１３を形成できる。この方法によれば、２枚の布帛１１、１２を縫合や接着により接合する構造に比べて、製造が容易であり、得られるベルトの外観も優れている。
【００１５】
この出願の請求項１の考案に係る結束バンドは、一端に幅方向の係止ピン２１を備えたフック２が取付けられている所定長さの長手方向に伸縮性を備えた２枚重ねの細幅布帛１１、１２からなり、当該２枚の細幅布帛を幅方向に長い線状ないし帯状に縫合ないし接合した接合部１３を設けることにより、隣接する接合部間の２枚の細幅布帛の間にペン３を挿通可能な幅方向の貫通口１４が形成され、前記フックの係止ピン２１を前記貫通口１４のいずれかに挿通することにより所望長さのループを形成可能にしたことを特徴とする結束バンドである。
【００１６】
また、この出願の請求項２の考案に係る結束バンドは、一端に幅方向の係止ピン２１を備えたフック２が取付けられている所定長さの長手方向に伸縮性を備えた細幅二重織物１からなり、重ね合わせた状態で製織される２枚の細幅織物１１、１２の経糸１５、１６相互を当該織物の長さ方向に所定間隔で交錯させて、当該２枚の細幅織物１１、１２が幅方向に長い線状ないし帯状に接合された接合部１３を形成することにより、隣接する接合部間の２枚の細幅織物１１、１２の間にペン３を挿通可能な幅方向の貫通口１４が形成され、前記フックの係止ピン２１を前記貫通口１４のいずれかに挿通することにより所望長さのループを形成可能にしたことを特徴とする結束バンドである。
【考案の効果】
【００１７】
この考案の結束具を用いれば、手帳をその大きさや厚さに関わりなく、その間に挟まれたカードや資料をベルト１の弾力で密着させた状態で、手帳が開かないように結束することができ、不用意に落したときに、挟んだカードや資料が飛散するのを防止できる。ベルト１は弾力性を備えており、ループにしたときの長さを自由に調整できるので、手帳の大きさや挟み込んだ資料等の量に関わりなく、資料をしっかりと挟み込んだ状態で保持することが可能である。そして、ループ長さを調整する構造がベルト１の偏平な形態を損なわず、かつそのフック２も単純な構造の偏平なものであるから、装着しても手帳が嵩張ることがなく、収納や携行に邪魔になるような突出部も生じない。
【００１８】
そして、必要があれば、ベルト１を任意の長さのループにするために設けた複数の貫通口１４の１個又は複数個をペン差しとして利用することができ、ペン３を手帳４と組にして携行したい使用者に便利である。また、ペンを手帳と別個に携行したい使用者にとって、ペン差し可能な構造が使用の邪魔になることがない。
【考案を実施するための最良の形態】
【００１９】
以下、図面を参照して、この考案の好ましい実施形態を説明する。図において、１は重ね合わされた２枚の織布１１、１２で形成されたベルト、２はベルト１の一端に取付けられたフックである。織布１１、１２は、経糸に弾性糸を用いることにより、長さ方向の伸縮性（弾力性）を備えており、複数の幅方向の線状ないし帯状の接合部１３の位置で接合されている。隣接する接合部１３相互の間では、２枚の織布１１、１２が分離可能で、この部分にペン３を差込可能な径の貫通口１４が形成される。フック２は、一般にＺ環と呼ばれているもので、ベルト幅方向の係止ピン２１を備えている。
【００２０】
図１は、この考案の結束バンドの好ましい例を示した斜視図である。この結束バンドのベルト１は、経糸として弾力性のある糸を用いた細幅二重織物である。
【００２１】
二重織物は、図２に示すように、織機の筬で第１の織布１１の経糸１５の開口と第２の織布１２の経糸１６の開口とを交互に開いて、第１の織布１１の経糸開口に第１の織布１１の緯糸１７を緯入れし、第２の織布１２の経糸開口には第２の織布１２の緯糸１８を緯入れすることにより、同時に２枚の織布１１、１２が重ね合わされた状態で製織される。そして、その製織の途中で第１の織布の経糸１５と第２の織布の経糸１６とを同時に開口して当該開口に第１の織布の緯糸１７と第２の織布の緯糸１８を緯入れすることにより、第１の織布１１と第２の織布１２とが幅方向に線状ないし帯状に接合された接合部１３が形成される。接合部１３が線状になるか帯状になるかは、第１の織布の経糸１５と第２の織布の経糸１６とを同時に開く動作を連続して何回繰り返すかによって決定される。
【００２２】
織布１１、１２の糸使いの例を示すと、経糸としてはウーリーナイロンでダブルカバリングした４７０デシテックスのポリウレタン糸を弾性糸とし、これにナイロン糸やエステル糸を所定割合で用いて、伸度を２．７倍程度に調整している。手帳を結束するのに好ましいベルト１の伸度は、２〜５倍程度である。伸度が小さいと手帳の装脱がしづらくなり、伸度が大きすぎると手帳に挟んだ資料などの保持力が低下する。緯糸にはナイロンフィラメント糸を用いており、幅方向の弾力は付与されていない。
【００２３】
上記のようにしてベルト１の長さ方向に所定間隔で複数形成された接合部１３の間の部分では、第１の織布１１と第２の織布１２とが分離可能な貫通口１４が形成される。通常、この貫通口１４部分の第１の織布１１と第２の織布１２とは密着しており、２枚重ねの織布からなるベルト１の偏平な状態が保持されている。そして、この貫通口１４を押し開いてベルト１の一端に取付けたフック２の幅方向の係止ピン２１を差し込むことによって、手帳４を挿入するためのループが形成される。係止ピン２１を挿入する貫通口１４をどれにするかによってループの周長を調整することができる。また、この貫通口１４を押し開いてペン（筆記具）３を挿入することにより、ベルト１の任意の位置にペン３を差し込んで保持することができる。
【００２４】
図４は、この考案の第２例を示した斜視図である。この第２例のものは、２枚重ねにした第１の細幅織物１１と第２の細幅織物１２とが幅方向にずらして重ね合わされている。このような二重織物も前述したと同様な方法によって１台の細幅織機で同時に織成してゆくことができる。このように２枚重ねにした細幅織物を幅方向にずらして重ね合わされた構造とすることにより、貫通口１４の位置が判りやすくなり、貫通口１４への係止ピン２１の挿入やペン３の挿入が容易になる。同様な作用は、幅の異なる細幅織物を二枚重ねとした構造でも達成される。すなわち、第１の細幅織物１１を第２の細幅織物１２より幅狭とし、第２の細幅織物１２の両側辺部が第１の細幅織物１１の両側辺からはみ出した状態とするのである。
【００２５】
図５は、この考案の結束バンドの第３例を示した斜視図である。この第３例のものは、２枚の細幅織物１１、１２をその長手方向所定間隔で縫合１９することによって接合部１３を形成している。この構造は、製織時に筬の複雑な動きを必要としないので、より簡単な織機で２枚の細幅織物１１、１２を製織できるが、製織した後で２枚の細幅織物１１、１２を所定間隔で幅方向に縫合しなければならないという手間が生ずる。
【００２６】
この考案の結束バンドは、図３に示すように、手帳の背４１と直行する方向の一方向にのみ結束するものであり、長手方向の弾力性を有しているので、結束バンドに手帳４を装脱するとき、フックの係止ピン２１をいちいち挿抜する必要がなく、ループにしたまま手帳４の装脱を行うことができて便利である。手帳４には、種々の寸法のものがあるので、大きくて厚い手帳には、ベルト幅が広くて長さも長いものを用い、小さい手帳には、ベルト幅が狭くて長さの短いベルトを用いるのがよい。従って、ベルト幅及びベルト長さの異なる複数種の結束バンドを用意するのが便利である。
【００２７】
なお、この考案の結束バンドは、上述のように特に手帳を開かないように結束するのに好適に用いられるが、長手方向に伸縮性のある結束バンドであることから、手帳以外のものの結束やその他の用途、例えばたくし上げたシャツの腕の部分を止めたり、自転車に乗るときにズボンの裾を止めたりするのにも用いることができる。
【図面の簡単な説明】
【００２８】
【図１】この考案の結束バンドの第１例を示す斜視図
【図２】細幅二重織物の織組織を示す模式的な側面図
【図３】手帳を結束した状態を示す結束バンドの斜視図
【図４】この考案の結束バンドの第２例の斜視図
【図５】この考案の結束バンドの第３例の斜視図
【符号の説明】
【００２９】
１  ベルト（細幅二重織物）
２  フック
３  ペン
４  手帳
11,12  細幅布帛（細幅織物）
13  接合部
14  貫通口
15,16  細幅織物の経糸
21  係止ピン
【図１】
0003144765.tif 000003
【図２】
0003144765.tif 000004
【図３】
0003144765.tif 000005
【図４】
0003144765.tif 000006
【図５】
0003144765.tif 000007